(57)【要約】【課題】構造が簡単で安価であり、しかも足形の矯正や健康増進にも有用な履物用インソールを提供することを目的とする。【解決手段】可撓性のシート状素材で形成される略足形のインソール本体からなり、このインソール本体の爪先部分における足の第二指骨接地部から第五指骨接地部に亘る外側を切除した外形形状としてインソールを構成する。この履物用インソールは体重の移動時における足指の動きを可能にするので足指接地力および腱の増強を図ることでき、足形の矯正や健康増進に有効となるものである。【選択図】  図１
2006006877.tif 000002
【特許請求の範囲】
【請求項１】
可撓性のシート状素材で形成される略足形のインソール本体からなり、このインソール本体の爪先部分における足の第二指骨接地部から第五指骨接地部に亘る外側を切除した外形形状として構成することを特徴とする履物用インソール。
【請求項２】
インソール本体は、ゲルマニウムおよびセレンを含有しかつ波長が１０μｍ程度の遠赤外線を放射する鉱物質素材を含むことからなる請求項１に記載の履物用インソール。
【請求項３】
インソール本体は、クマザサなど植物由来の天然抗菌・消臭素材を含むことからなる請求項１または請求項２に記載の履物用インソール。
【請求項４】
インソール本体における足の種子骨接地部分と対応する位置に緩衝部を設けることがらなる請求項１〜請求項３のいずれかに記載の履物用インソール。
【請求項５】
シート状本体の裏面に貼着剤を配置するとともにこの貼着剤に剥離シートを貼付することからなる請求項１〜請求項４のいずれかに記載の履物用インソール。
【請求項６】
可撓性のシート状素材で形成される略足形のインソール本体を備え、このインソール本体の一側面に合紙および感圧転写シートをそれぞれ剥離可能に重畳配置し、使用者の足形形状を感圧転写シートを介してインソール本体に転写したのち、転写された足形に倣いかつ爪先部分を所定形状に切除することからなるイージーメイド型に構成した請求項１〜請求項５のいずれかに記載の履物用インソール。
【請求項７】
インソール本体の一側面と合紙との間に粘着シートを介挿することからなる請求項６に記載の履物用インソール。
【発明の詳細な説明】
【技術分野】
【０００１】  この発明は、靴などを含む履物類のインソール（インナーソールあるいは中敷とも称されている）に関するものであり、一層詳細には、足形の矯正や健康増進に有効な履物用インソールに関するものである。
【背景技術】
【０００２】  体重や荷物などの負荷を支えて立ち姿勢を保持したり移動したりする足の労苦は大変なもので、しばしば人の老化は足からはじまるといわれるがもっともなことである。
内外果（くるぶし）より下部をいう足は、外観では足背（足甲）、足底および踵に分けけられ、骨格を構成する大小２８個の骨の周囲にはそれぞれの骨を支える靭帯、筋、腱鞘などがあり、さらにこれらを機能させるための神経や、生理作用のための血管、汗腺、皮脂腺などが分布し、外側は皮膚で被われている。
また、移動時などにおける負荷や衝撃は、筋肉と靭帯に支えられたいくつかの骨が弓状にならんだ構造、すなわち、踵から第五指（小指）への外側縦アーチ、踵から第一指（拇指）にいたる内側縦アーチ、第一指（拇指）から第五指（小指）に亘る横アーチの３つのアーチによって吸収される。【０００３】  そして、この３つのアーチのバランスがくずれると、足にストレスが生じて、例えば、船状骨が内側にずり落ちて土踏まずのアーチが崩れると偏平足となり、疲れやすく、集中力が劣り、根気もなく反射神経が鈍くなってしまう。また、横アーチが弱まると足指が広がって指先に対する力が低下して踏ん張りが弱くなる開帳足になってしまう。
このような足の変形やストレスは足に伝わる負荷や衝撃の緩衝機能を低下させ、足の痛みだけにとどまらず膝や腰、背骨に伝わって肩こり頭痛、さらには全身の健康に影響を与えてしまうことが知られている。【０００４】  一方、現代は靴をはじめとする履物類を着用する生活様式になっており、通常は自分の足の形状やサイズにできるだけ近い市販の製品を選んでいる。
しかしながら、市販の靴などの履物類が自分の足に完全にフィットするのは稀であり、実際には足を履物類に合わせていることが多く、その結果、靴など履物の中で爪先が詰まり、関節が曲がったまま固定されて爪先の皮膚と爪の境がこすられたりタコができるなどのハンマー・トゥになったり、拇指の付け根の関節が自覚のないまま脱臼して小指側に曲がってしまう外反母趾などに患ってしまうことが多くなっている。
【発明の開示】
【発明が解決しようとする課題】
【０００５】  そこで、例えば、特許文献１あるいは特許文献２などに示すような種々のインソールが提案され、靴など履物の中底に挿入して足を保護する人が増加しているが、これらのインソールは、クション性や消臭、防菌などの二次的な目的や単なるサイズ合わせのためのものが大半で足のストレスや足形の矯正機能を期待できるものはなかった。【０００６】
【特許文献１】  特開２００１−３２７３０３号公報
【０００７】
【特許文献２】  特開１１−２０６４１３号公報
【０００８】  これとは別に先天性の障害があったり、あるいはアーチのバランスが極端にくずれて後天的に障害を生じたような足に対しては、治療を必要とする機能に特化した医療用もしくは整形用など各種のインソールが提案され需要者の便宜に供されているが、この種のインソールは足形を個別に採取して正確に製作するオーダーメイドとなるため高価な製品となっている。
従って、一般需要者が気軽に使用でき、しかも足形の矯正や健康増進にも有用な履物用インソールの出現が待望されていた。
【課題を解決するための手段】
【０００９】  このような事情から、発明者は、履物として靴などが一般に普及する以前の草履や下駄あるいは地下足袋などを使用していた頃には足形の異常が極めて少なかったこと、および、通常の歩行における重心の移動を解剖学的に考察すると、着地により踵にかかった体重は外側に沿って移動して第五中足骨の骨頭部から拇球側に移動し、さらに拇指、第五指および第三指を主とした足指全体で後方に向かって蹴りだされて他方の足に移動する、いわゆる、「あおり運動」（図７参照）によること等に着目して鋭意研究ならびに試作を重ねた結果、本発明を創想するに至ったものである。【００１０】  すなわち、本発明に係る履物用インソールでは、可撓性のシート状素材で形成される略足形のインソール本体からなり、このインソール本体の爪先部分における足の第二指骨接地部から第五指骨接地部に亘る外側を切除した外形形状として構成し、体重の移動時における足指の動きを可能にしてその接地力および腱を増強することにより所期の課題を解決しようとするものである。【００１１】  この場合、インソール本体には、ゲルマニウムおよびセレンを含有しかつ波長が１０μｍ程度の遠赤外線を放射する鉱物質素材を含ませれば、長時間の立ち姿勢などによる血流の減少が原因とされる足の冷え等を足指の屈曲動作と遠赤外線による血行促進作用の相乗効果により解消でき、またクマザサなど植物由来の天然抗菌・消臭素材を含ませれば、汗腺や皮脂腺から出る有機物などに発生する雑菌等の繁殖を好適に阻止することができる。【００１２】  また、インソール本体における足の第一中指骨関節の種子骨接地部分と対応する位置に緩衝部を設ければ、腱の増強をつかさどる種子骨に対する過負荷などによる衝撃を緩衝することができ、一方、シート状本体の裏面に貼着剤を配置するとともにこの貼着剤に剥離シートを貼付しておけば、靴などを履き始めた幼児などでも簡単に使用することができるだけでなく、サンダルやミュール、スリッパなど足背（足甲）を覆う部材が少ない履物でも簡単に使用することができる。【００１３】  さらに、本発明に係る履物用インソールを、可撓性のシート状素材で形成される略足形のインソール本体の一側面に合紙および感圧転写シートをそれぞれ剥離可能に重畳配置し、使用者の足形形状を感圧転写シートを介してインソール本体に転写したのち、転写された足形に倣いかつ爪先部分を所定形状に切除するようにしたイージーメイド型に構成すれば汎用性を向上させることが可能となる。
なお、このイージーメイド型インソールにおけるインソール本体の一側面と合紙との間に粘着シートを介挿すれば、使用者の足形形状を確実に転写することができ好適である。
【発明の効果】
【００１４】  このように構成される本発明に係る履物用インソールによれば、
（１）単純な構造なので簡単に製造できるだけでなく、需要者には低価格で提供できるので手軽に使用することが可能となる。
（２）歩行時（体重の移動時）に、足指の第二指ないし第五指の４本を動かすことが可能なので「あおり運動」を円滑に行うことができ、足指の接地力および腱の増強を図って足形の矯正を図ることができる。また、足指に自然に力がはいるので神経が集まっている足先のマッサージにもなり健康増進に寄与することができる。
（３）遠赤外線加工や抗菌・消臭加工を施したので、足の冷え解消や雑菌の繁殖を防止して清潔に保持でき、爽快感をもって使用することができる。
（４）使用者の足形形状に合わせて簡単に調製できるイージーメイド型としたので、汎用化を図ることができる、
など種々の効果を奏するものである。
【発明を実施するための最良の形態】
【００１５】  次に、本発明に係る履物用インソールの最良の実施の形態を例示し、以下詳細に説明する。
図１は、靴Ａの中底面に挿入して使用される本発明に係る靴用インソールであって、この靴用インソール１０は可撓性を有しその厚み寸法を、例えば、１ｍｍ程度に設定したシート状素材からなる略足形のインソール本体１２により形成されている。
そしてこのインソール本体１２の爪先部１４は、足の第二指骨の接地部から第五指骨の接地部に亘る部分の外側部分Ｂ（図１の斜線部分）を切除した形状として構成されている。つまり、靴Ａの中底面に設置したのち足Ｃを挿入すると、拇指（第一指）はインソール本体１２の先端突部１４ａ上に載るが第二指の付け根から第五指の付け根部分が前記爪先部の外縁部１４ｂに当接した状態で支持されるのでこれら４本の指腹部と靴Ａの中底面との間には間隙Ｄが生じることになる。このため歩行時などの体重の移動時には第二指から第五指の自由度を確保することができ、従って、足指の踏ん張る力（接地力）および腱の増強を図ることができることになる。
この踏ん張る力および腱の増強は、横のアーチを整えるので、敏捷さに欠けたり、走ると転びやすいなど近頃の幼児に多いとされる浮き指の矯正を図ることができるだけでなく、前述した開帳足の発生防止や矯正も行うことができる。
また、インソール本体１２の先端突部１４ａは、靴Ａの中底に挿入した当初の位置決めやズレたりするなどの不都合を回避することができる。
なお、説明の便宜上、靴用インソール１０は片足について説明しているが、インソール本体１２を左右対称の外形形状に構成すれば、足長が異なったり体の歪みなどがあっても歩行しているうちに自然とバランスの良い状態を得ることができる。【００１６】  なお、インソール本体１２の素材としては、皮革、コットン、麻などの天然素材、合成樹脂材、不織布など従来から使用されている素材を適宜使用することができるが、これらの素材中に、例えば、ゲルマニウムおよびセレンを微量含有しかつ波長が１０μｍ程度の遠赤外線を放射する細粒状鉱物質１６を練り込んだり、あるいはこの細粒状鉱物質１６を印刷など適宜の手段によって付着させた布材１８を所望に応じてインソール本体１２表面の全体や適所に貼着することにより、長時間の立ち姿勢などによる血流の減少に起因する足の冷え等を遠赤外線による血行促進作用と足指の屈曲動作との相乗作用により解消することができる（図２参照）。
また、この細粒状鉱物質１６とともにクマザサなど植物由来の天然抗菌・消臭素材をインソール本体１２の素材中に適宜の手段で含ませれば、汗腺や皮脂腺から出る有機物に発生する雑菌等の繁殖などを阻止することができる（図示せず）。【００１７】  一方、図３はインソール本体１２における拇指の付け根に対応する部分に曲円形状の緩衝部２０を設けた本発明に係るインソール１０の別の実施の形態である。
この緩衝部２０の素材としては、例えば、連続発泡型でしかも所定の弾性を備えるフォームラバーなどの合成樹脂を使用するのが好ましいが、歩行もしくは走行時などに拇指の付け根部分、すなわち、第一中足指関節に隣接する種子骨に加わる衝撃を緩衝できるものであれば素材はとくに限定されるものではないことは言うまでもない。
そして、このように構成したインソール１０によれば、前述の実施の形態の効果とともに指屈筋腱の活動を高める種子骨への過度の衝撃を和らげ、足へのストレスの軽減を図ることができる。【００１８】  また、図４は、インソール本体１２の裏面２２の適所に接着剤２４を塗布するとともにこの接着剤２４に剥離紙２６を貼着した本発明に係るインソールのさらに別の実施の形態である。
このように構成したインソール１０によれば、靴だけでなくサンダルやミュール、スリッパなど足背（足甲）を覆う部材が少ない種類の履物であっても所定位置に簡単に固定することができる。また、靴などの履物を使用し始めた幼児であっても容易に使用することができ、従って、幼少のころから正しい「あおり運動」を実践して足指に力を増強することができるので足形の変形を可及的に阻止することができるものである。
なお、接着剤２４の塗布位置としては、本実施の形態のように数箇所で充分であるが、所望により帯状あるいは裏面２２全面であってもよいことは勿論である。【００１９】  さらにまた、図５はイージーメイド型に形成した本発明に係る履物用インソールの実施の形態である。
すなわち、このイージーメイド型インソール３０は、前述の各実施の形態で説明した可撓性のシート状素材で形成される略足形のインソール本体１２を備え、このインソール本体１２の表面に、好ましくは、略同形状に形成した合紙３２および感圧転写シート３４を重畳配置するとともにそれぞれの爪先近辺を接着剤（図示せず）でインソール本体１２に剥離可能に取り付けることにより構成されている。
そして、使用に際しては、合紙３２を除いて足形を感圧転写シート３４を介してインソール本体１２に転写し、次いで感圧転写シート３４を除去したのちこの足形に倣いしかも第二指骨接地部より第五指骨接地部に亘る外側部分Ｂを切除して所望の外側形状に形成する。
なお、代案として、若干大きめに設定した合紙３２の表面にシリコン樹脂などを塗布するとともに裏面には微小カプセル入りの粘着剤を塗布しておき、使用時に合紙３２を裏返して感圧転写シート３４とインソール本体１２との間に挿入し、足形を感圧転写シート３４を介して合紙３２の粘着剤面に転写するように構成することもでき、この場合は、インソール本体１２の表面が感圧転写剤によって汚れるのを防止できる。
このように構成したイージーメイド型インソール３０は、個々の使用者にとって自分の足形に最適な形状の履物用インソールを容易に作ることができる。また、構造も簡単なので量産にも対応でき、需要者に安価に提供することも可能となるものである。【００２０】  図６は、図５に示したイージーメイド型インソール３０の別の実施の形態である。
すなわち、このイージーメイド型インソール３０は、略足形のインソール本体１２の表面に、粘着シート３６、合紙３２および感圧転写シート３４の順にそれぞれを剥離可能に重畳配置することにより、感圧転写剤によって転写される足形でインソール本体１２の表面が汚れるのを防止するように構成したものである。
この実施の形態のイージーメイド型インソール３０では、使用に際し、合紙３２を剥離除去したのち、足形を感圧転写シート３４を介して粘着シート３６の粘着面３６ａに転写し、インソール本体１２をこの粘着面３６ａに転写された足形に倣いかつ第二指骨接地部より第五指骨接地部に亘る外側部分Ｂを切除して所定の外側形状に形成するものである。なお、図５および図６の実施の形態では触れていないが、遠赤外線を放射する細粒状鉱物質１６、天然抗菌・消臭素材、接着剤２４などを併用できることは勿論であり、また、種子骨接地部分の緩衝部２０は、曲円状のフォームラバーなどを必要に応じて貼着することにより構成すればよい。【００２１】  先の説明においては、本発明に係る履物用インソールの一般的な使用につき説明したが、スポーツ用、通勤通学用、レジャー用さらには医療用、整形用など様々な履物に適宜応用することができ、本発明の精神を逸脱しない範囲内において種々の設計変更をなし得ることは勿論である。
【産業上の利用可能性】
【００２２】  本発明のカテゴリーは「履物用インソール」であるが、靴などを含む履物の中底爪先部における足の第二指骨接地部から第五指骨接地部に亘る外側を他の部分に比べて若干低く設定すれば、足の変形を阻止できしかも健康増進に有効な履物として構成することができる。
【図面の簡単な説明】
【００２３】
【図１】本発明に係る履物用インソールの最良の実施の形態を示す説明図であって、ａは平面図、ｂはこのインソールと靴および足の関係を示すａのｂ−ｂ線断面の説明図である。
【図２】本発明に係る履物用インソールの別の実施の形態を示す平面図である。
【図３】本発明に係る履物用インソールのまた別の実施の形態を示す平面図である。
【図４】本発明に係る履物用インソールのさらに別の実施の形態を示す底面図である。
【図５】本発明に係る履物用インソールをイージーメイド型に構成した実施の態様を示す説明図である。
【図６】図５に示すイージーメイド型インソールの別の実施の態様を示す説明図である。
【図７】歩行時における重心の移動（あおり運動）を示す説明図であって、ａは足裏の重心移動説明図、ｂは歩行時の足の動きを示す説明図である。
【符号の説明】
【００２４】１０：  インソール、
１２：  インソール本体、
１４：  爪先部、
１６：  細粒状鉱物質、
１８：  布材、
２０：  緩衝部、
２２：  裏面、
２４：  接着剤、
２６：  剥離紙、
３０：  イージーメイド型インソール、
３２：  合紙、
３４：  感圧転写シート、
３６：  粘着シート、
【図１】
2006006877.tif 000003
【図２】
2006006877.tif 000004
【図３】
2006006877.tif 000005
【図４】
2006006877.tif 000006
【図５】
2006006877.tif 000007
【図６】
2006006877.tif 000008
【図７】
2006006877.tif 000009